(57)【要約】【課題】取り付けがしっかりしており、利便性にも優れたペット用給水器を提供する。【解決手段】本考案はペット用給水器であり、固定ユニット１、該固定ユニットから延長されてホルダー１２を連結するための連結部１１、給水ユニット３を固定するための上縁１２２を有するホルダー１２、対応する上縁１２２に接触して支えられ、周囲の長さが上縁１２２よりも長い上縁部３１４を有する給水ユニット３から構成されており、給水ユニット３をホルダー１２にはめ込むと、上縁部３１４が位置を制限されて上縁１２２に接触して支えられて、給水ユニット３の位置が制限されることで、給水ユニット３を固定ユニット１に固定することを特徴とする。【選択図】図１
0003208226.tif 000002
【実用新案登録請求の範囲】
【請求項１】
固定ユニット（１）から延長されて、且つ上縁（１２２）を有するホルダー（１２）が連結されるための連結部（１１）を備えた固定ユニット（１）、及び、
前記ホルダー（１２）に固定され、前記ホルダー（１２）の対応する上縁（１２２）に接触して支えられると共に周囲の長さが前記上縁（１２２）よりも長い上縁部（３１４）を有する該給水ユニット（３）
から構成されているペット用給水器であって、
前記給水ユニット（３）を前記ホルダー（１２）にはめ込むことで、前記上縁部（３１４）が位置を制限されて前記ホルダー（１２）の上縁（１２２）に接触して支えられ、前記給水ユニット（３）の位置が制限されることで、前記給水ユニット（３）が前記固定ユニット（１）に固定されることを特徴とするペット用給水器。
【請求項２】
前記ホルダー（１２）の内縁に１個以上の凹部（１２１）が設けられており、かつ、前記給水ユニット（３）に１個以上の凸ブロック（３１１）が設けられており、該凸ブロック（３１１）が前記凹部（１２１）にはめ込まれる構造になっていることを特徴とする請求項１に記載のペット用給水器。
【請求項３】
前記ホルダー（１２）の内縁に前記凹部（１２１）が２個設けられており、前記給水ユニット（３）は水補給ヘッド（３１）と容器（３２）とを有し、前記容器（３２）は前記水補給ヘッド（３１）に連結され、前記水補給ヘッド（３１）は両サイドにそれぞれ凸ブロック（３１１）を１つずつ備え、該凸ブロック（３１１）が前記凹部（１２１）に対応してはめ込まれることを特徴とする請求項２に記載のペット用給水器。
【請求項４】
フレキシブルなエンゲージ部品（２）が連結部（１１）に固定されており、前記エンゲージ部品（２）と連結部（１１）との間に第１スプリング（２１）が設けられており、前記エンゲージ部品（２）に第１テーパー（２２１）を有する第１噛合せ（２２）が設けられており、
前記給水ユニット（３）には、エンゲージ溝（３３１）と第２テーパー（３３２）とを有する第２噛合せ（３３）が設けられており、
前記第１噛合せ（２２）はエンゲージ溝（３３１）に対応してはめ込まれ、第２テーパー（３３２）は第１テーパー（２２１）に対応して接触するものであり、
前記ホルダー（１２）の上縁（１２２）に凹溝（１２３）が設けられており、前記エンゲージ溝（３３１）はこの凹溝（１２３）に対応するものであり、
前記凹溝（１２３）には第２テーパー（３３２）に対応する第３テーパー（１２４）が設けられており、
前記給水ユニット（３）がホルダー（１２）にはめ込まれることで、前記第２テーパー（３３２）が前記第１テーパー（２２１）と接触し、前記第１スプリング（２１）が圧縮されて前記エンゲージ部品（２）を背後に押しやることで、前記第２テーパー（３３２）が一時的に前記第１テーパー（２２１）から離れ、
前記第１スプリング（２１）が開放されることで、押しやられていた前記エンゲージ部品（２）が原状を回復し、前記第１噛合せ（２２）を前記エンゲージ溝（３３１）に噛み合わせて、前記給水ユニット（３）の位置を制限し、前記給水ユニット（３）が前記固定ユニット（１）に固定されることを特徴とする請求項２または請求項３に記載のペット用給水器。
【請求項５】
前記給水ユニット（３）は、一端が水補給ヘッド（３１）にねじ込まれ、他端が出水口（３４１）となっている管（３４）と、第２スプリング（３５１）とダンパー（３５２）によって出水口（３４１）に取り付けされている止水部品（３５）とを有しており、
前記ダンパー（３５２）は前記出水口（３４１）を制御しており、張力が働いている前記第２スプリング（３５１）が前記止水部品（３５）を制御して前記ダンパー（３５２）を支えており、前記ダンパー（３５２）を前記出水口（３４１）から遠ざけることによって、前記止水部品（３５）と前記出水口（３４１）との間にギャップ（Ｂ）を生じさせることを特徴とする請求項３に記載のペット用給水器。
【請求項６】
前記水補給ヘッド（３１）は、容器（３２）の第３ねじ込み部（３２１）と噛み合う第１ねじ込み部（３１２）、及び、管（３４）の一端の第４ねじ込み部（３４２）と噛み合う第２ねじ込み部（３１３）を有していることを特徴とする請求項５に記載のペット用給水器。
【請求項７】
第５ねじ込み部（１４）を有する固定ユニット（１）は、第６ねじ込み部（１３１）を有するロック部品（１３）を備えており、第６ねじ込み部（１３１）を第５ねじ込み部（１４）に噛み合わせることで、ロック部品（１３）が固定ユニット（１）にねじ込まれることを特徴とする請求項１に記載のペット用給水器。
【請求項８】
前記連結部（１１）には溝（１１１）が設けられており、エンゲージ部品（２）は、前記溝（１１１）に対応するスライドブロック（２３）を備え、前記スライドブロック（２３）が当該溝（１１１）にはめ込まれることでスライド移動が制限されることを特徴とする請求項４に記載のペット用給水器。
【考案の詳細な説明】
【技術分野】
【０００１】
本考案は、ペット給水器、特に操作が簡便なペット給水スタンド構造に関するものである。
【背景技術】
【０００２】
通常、飼い主はペットに水を飲ませるのに便利なよう、ボウルに水を入れてペットの周囲に置いておき、ペットがボウルに張った水を飲めるようにしておく。しかし、このような給水方法は、飼い主が数日にわたって水交換を怠ると、水に細菌が発生して衛生レベルが落ち、ペットの健康を害することもあり、ペットが遊んでいてボウルをひっくり返し、周辺を汚すこともある。ゆえに、次々とペット用の水飲みスタンドが開発された。これは、飼い主が水飲みスタンドの上部にボトルをセットし、ケージなどにロックして固定するというもので、ペットが水飲みスタンドの先端をなめると水が供給される方式で前述の問題を改善するものであるが、本考案は、ペット用水飲みスタンドをさらに推し進めて改良することを目的とする。
【０００３】
今のところ、市販の給水器はほとんどが止水部品である鉄球を用いて給水効果を達成しているが、鉄球は騒音が大きく、毛が詰まりやすいので、水漏れの問題も存在する。
【０００４】
また、市販の給水器はほとんどが、結合ハンドルロック部、継ぎ手本体、鉄球、止水リング、吸引用ウォーターノズル、ボトルといったユニットから構成されており、継ぎ手本体というのは、円錐を上下逆さにして結合ユニットのＣ型リングにはめ込む形式であり、突出部分を凹溝に押し込んで固定する方法で位置決めする。
【０００５】
設計上、不行届きの部分に改善が待たれており、主な理由として以下のことが挙げられる。
【０００６】
この設計だと、かなりの力でＣ型リングを開かなければ、着脱の動作を行うことができず、着脱の便利さやスムーズさは落ちるし、着脱の過程で力を入れすぎるとＣ型リングが切断される。また、前述の鉄球を用いた止水構造なので、ペットが水を飲むと鉄球から騒音が発生しやすく、毛が詰まって水漏れしやすくなる。
【先行技術文献】
【特許文献】
【０００７】
【特許文献１】（特に無し）
【考案の概要】
【０００８】
そこで、上述の不行届きや改善が待たれる部分を改善するため、研究を進めた結果、本考案は、固定ユニット、固定ユニットから延長されてホルダーを連結するための連結部、給水ユニットをホルダーに固定するための上縁を有するホルダー、対応する上縁に接触して支えられ、周囲の長さが上縁よりも長い上縁部を有する給水ユニットから構成されており、給水ユニットをホルダーにはめ込むと、上縁部が位置を制限されて上縁に接触して支えられて、給水ユニットの位置が制限されることで、給水ユニットを固定ユニットに固定することを特徴とするペット用給水器を提案する。
【０００９】
さらに、ホルダーの内縁には１個以上の凹部が設けられ、給水ユニットには１個以上の凸ブロックが設けられて、凸ブロックが凹部にはめ込まれる構造になっている。
【００１０】
さらに、ホルダー内縁には上述の凹部が２個設けられている。給水ユニットは水補給ヘッドと容器を有し、容器は水補給ヘッドに連結され、水補給ヘッドは両サイドに、それぞれ１個の凸ブロックがあって、この凸ブロックが当該凹部に対応してはめ込まれる。
【００１１】
さらに、フレキシブルなエンゲージ部品が連結部に固定され、エンゲージ部品と連結部の間には第１スプリングが設けられ、また、エンゲージ部品には第１テーパーを有する第１噛合せが設けられている。給水ユニットには、エンゲージ溝と第２テーパーを有する第２噛合せが設けられている。第１噛合せはエンゲージ溝に対応してはめ込まれ、第２テーパーは第１テーパーに対応して接触する。当該上縁には凹溝が設けられ、エンゲージ溝はこの凹溝に対応している。この凹溝には第２テーパーに対応する第３テーパーが設けられている。給水ユニットがホルダーにはめ込まれると、第２テーパーが第１テーパーと接触し、第１スプリングが圧縮されてエンゲージ部品を背後に押しやることから、第２テーパーは一時的に第１テーパーから離れる。そして、第１スプリングが開放されると、押しやられていたエンゲージ部品も原状を回復し、第１噛合せをエンゲージ溝に噛合せさせて、給水ユニットの位置を制限し、給水ユニットは固定ユニットに固定される。
【００１２】
さらに、給水ユニットは、一端が水補給ヘッドにねじ込まれ、もう一方の端が出水口となっている管、及び、第２スプリングとダンパーによって出水口に取り付けされている止水部品を有している。ダンパーは出水口を制御しており、張力が働いている第２スプリングが止水部品を制御してダンパーを支えており、ダンパーを出水口から遠ざけることによって、止水部品と出水口の間にギャップを生じさせる。
【００１３】
さらに、水補給ヘッドは、容器の第３ねじ込み部と噛み合う第１ねじ込み部、及び、管の一端の第４ねじ込み部と噛み合う第２ねじ込み部を有している。
【００１４】
さらに、第５ねじ込み部を有する固定ユニットは、第６ねじ込み部を有するロック部品を備えており、第６ねじ込み部を第５ねじ込み部に噛み合わせることで、ロック部品が固定ユニットにねじ込まれる。
【００１５】
さらに、連結部は溝が設けられており、エンゲージ部品は、これに対応するスライドブロックを備え、スライドブロックが当該溝にはめ込まれて、スライド移動が制限される。
【考案の効果】
【００１６】
上述の技術的な特徴により、以下の効果が見込まれる。
【００１７】
＜効果その１＞
上縁は、周囲の長さが上縁の周囲より長いので、上縁部は上縁に接触して位置を制限され、給水ユニットが固定ユニットに支えられて、固定される。
【００１８】
＜効果その２＞
凸ブロックと凹部が合わさり、フレキシブルなエンゲージ部品が噛み合わさることで、操作の簡便さや噛合せの安定性という点で、かなり顕著な効果を生むことから、装置の左右のぶれや固定の緩みが発生しにくい。
【００１９】
＜効果その３＞
スプリング付の止水部品は、張力の働きが維持されて水が漏れにくく、騒音も発生せず、プラスチック材を用いればコストも低く抑えられ、鉄球の止水部品に付き物である錆びによる汚れの問題も克服できる。
【００２０】
＜効果その４＞
エンゲージ溝を前後両側に設けることで、給水ユニットの前後入れ替えが可能となり、ケージの内側向き、外側向きの両方に対応できるとともに、穴とボルトを用いれば、壁面にも取り付けられるので、取り付け方法が多岐にわたり、利便性が増している。
【図面の簡単な説明】
【００２１】
【図１】図１は、本考案の実施例における立体分解図である。
【図２】図２は、本考案の実施例における組合せ後の立体図である。
【図３】図３は、本考案の実施例における断面図である。
【図４】図４は、本考案の実施例の使用例（１）における外側向きのケージの取り付け方法を示した図である。
【図５】図５は、本考案の実施例の使用例（２）における噛合せ前の連結部を示した図である。
【図６】図６は、本考案の実施例の使用例（３）における噛合せ中の連結部を示した図である。
【図７】図７は、本考案の実施例の使用例（４）における噛合せ後の連結部を示した図である。
【図８】図８は、本考案の実施例の使用例（５）である、ペットが水を飲む前の管内を断面図として示したものである。
【図９】図９は、本考案の実施例の使用例（６）である、ペットが水を飲んでいる状態の管内を断面図として示したものである。
【図１０】図１０は、本考案の実施例の使用例（７）における背後に押しやられたエンゲージ部品を示した図である。
【図１１】図１１は、本考案の実施例の使用例（８）におけるもうひとつの取り付け方向を示した図である。
【図１２】図１２は、本考案の実施例の使用例（９）におけるケージ内側向きの取り付け方法を示した図である。
【図１３】図１３は、本考案の実施例の使用例（９）における壁面への取り付け方法を示した図である。
【考案を実施するための形態】
【００２２】
本考案のペット給水器の主な効果は、下記の実施例に詳細に示されている。
【実施例】
【００２３】
図１、図２によると、本考案の実施例で示されるペット給水器は、固定ユニット１、エンゲージ部品２、給水ユニット３により構成されている。
【００２４】
固定ユニット１は、そこから延長され、且つ溝１１１を有する連結部１１を備えている。連結部１１はホルダー１２を連結しており、ホルダー１２の内縁は、互いに向き合う２個の凹部１２１を有し、ホルダー１２は、第３テーパー１２４を備えた凹溝１２３を有する上縁１２２を備えており、固定ユニット１には複数の穴１５が開けられている。
【００２５】
さらに図３、図４（使用例（１））によると、第５ねじ込み部１４を有する固定ユニット１は、第６ねじ込み部１３１を有するロック部品１３を備えており、第６ねじ込み部１３１を第５ねじ込み部１４にねじ込んで、固定ユニット１をケージＡに固定する。
【００２６】
フレキシブルなエンゲージ部品２が連結部１１に固定され、エンゲージ部品２と連結部１１の間には第１スプリング２１が設けられ、また、エンゲージ部品２には第１テーパー２２１を有する第１噛合せ２２が設けられている。エンゲージ部品２が連結部１１の溝１１１に対応する位置にはスライドブロック２３が設けられており、スライドブロック２３が当該溝１１１にはめ込まれて、スライド移動が制限される（図３参照）。
【００２７】
ホルダー１２に固定される給水ユニット３は、水補給ヘッド３１と容器３２から構成され、水補給ヘッド３１は相互に通じている第１ねじ込み部３１２と第２ねじ込み部３１３を備え、第１ねじ込み部３１２は容器３２の第３ねじ込み部３２１と噛み合って、容器３２を水補給ヘッド３１に固定する。水補給ヘッド３１は、両サイドにそれぞれ１個の凸ブロック３１１があり、この凸ブロック３１１がホルダーの凹部１２１にはめ込まれる。
【００２８】
図３によると、給水ユニット３は、エンゲージ溝３３１と第２テーパー３３２を有する第２噛合せ３３を備えており、エンゲージ部品２の第１噛合せ２２が、このエンゲージ溝３３１と噛み合わさる。
【００２９】
図２、図３によると、水補給ヘッド３１は、ホルダーの上縁１２２に対応して接触する上縁部３１４を備え、上縁部３１４の周囲の長さは上縁１２２のそれよりも長いので、上縁部３１４が上縁１２２に接触することで位置制限される。ホルダーの第３テーパー１２４は水補給ヘッドの第２テーパー３３２に対応しており、給水ユニット３は固定ユニット１にはめ込まれて支えられる構造となっている。
【００３０】
図３、図４によると、給水ユニット３は管３４と止水部品３５を備え、管３４は水補給ヘッド３１にねじ込まれる。管３４は、一端に出水口３４１を備え、もう一方の端に、水補給ヘッドの第２ねじ込み部３１３にねじ込まれる第４ねじ込み部３４２を有している。止水部品３５は、第２スプリング３５１とダンパー３５２によって出水口３４１に取り付けされており、ダンパー３５２が動いて出水口３４１を制御する形となっており、且つ、出水口３４１はケージＡの外向きに取り付けられており、ペットがケージの外で活動するのに適する状態である。
【００３１】
図５から図７（使用例（２）〜（４））によると、使用する際は、固定ユニット１と給水ユニット３を結合させるため、給水ユニット３をホルダー１２に挿入するとき、軽く下向きに押してやれば、第２テーパー３３２が第１テーパー２２１に接触し、第１スプリング２１が圧縮されてエンゲージ部品２を背後に押しやる。そして、凸ブロック３１１が対応する凹部１２１にはめ込まれると、第２テーパー３３２は一時的に第１テーパー２２１から離れ、さらに、第１スプリング２１が開放されると、押しやられていたエンゲージ部品２も原状を回復し、第１噛合せ２２がエンゲージ溝３３１と噛みあって、固定ユニット１が給水ユニット３を固定し、給水ユニット３の位置を制限して、給水ユニット３は固定ユニット１上に固定される。このようにして凸ブロック３１１と凹部１２１が噛み合わさることで、操作の簡便さや噛合せの安定性という点で、かなり顕著な効果を生むことから、給水ユニット３の左右のぶれや固定の緩みが発生しにくい。
【００３２】
図８（使用例（５））、図９（使用例（６））によると、第２スプリング３５１には張力が働いて止水部品３５を押さえ、止水部品３５は可動性があって、ダンパー３５２を支えている。ペットが水を飲むとき、止水部品３５に一定の力が加わり、ダンパー３５２が出水口３４１から遠ざかり、第２スプリング３５１が圧縮されて、止水部品３５と出水口３４１の間にギャップＢを生じさせ、容器３２内の水がギャップＢを経て出水口３４１に流れ出る。ペットが水を飲み終えたら、止水部品３５に新たな力をかけなくても、第２スプリング３５１の張力の働きで、止水部品３５が原点に戻ってダンパー３５２を支え、出水口３４１は高度に密封されるので、水漏れは起こりにくい。プラスチック材を用いればコストも低く抑えられ、鉄球の止水部品に付き物である錆びによる汚れの問題も克服できる。さらに、プラスチック材ならば騒音もなく、ペットが水を飲む音もたたないので、鉄球を用いたときの騒音の問題もなく、毛詰まりによる水漏れも起こりにくい。
【００３３】
図１０（使用例（７））によると、給水ユニット３を固定ユニット１から取り外すとき、エンゲージ部品２を軽く後ろに押しやるだけで、第１スプリング２１が圧縮されてエンゲージ部品２が後退し、第１噛合せ２２がエンゲージ溝３３１から離れるので、ここで給水ユニット３を軽く上向きに押してやり、凸ブロック３１１を凹部１２１から離脱させれば、給水ユニット３を固定ユニット１から離脱させることができる。
【００３４】
図１１（使用例（８））、図１２（使用例（９））によると、同様にして、第６ねじ込み部１３１と第５ねじ込み部１４を噛み合わせ、固定ユニット１をケージＡに固定しているが、エンゲージ部品２をもうひとつのエンゲージ溝３３１にはめ込むことで、出水口３４１をケージＡ内部に向けることができるので、この方式はペットがケージＡの中でいるときに適用できる。飼い主の好みにより、前後いずれかのエンゲージ溝３３１にエンゲージ部品２を装着すれば、ケージＡの外向き、内向き、いずれの方向にも対応可能である。
【００３５】
図１３（使用例（９））によると、固定ユニット１に備わる複数の穴１５を利用し、ボルト１６を穴１５に通し、固定ユニット１を壁面Ｃに固定することができる。このように、本考案は組み立て方法が多岐にわたり、さまざまな状況に適用できることから、使用上の利便性が増している。
【００３６】
以上の実施例による詳細な説明により、本考案の操作、使用方法、及び本考案によりもたらされる効果を理解できると思われるが、これら上述の実施例は本考案における望ましい実施形態を示すものであって、本考案の実施の範囲を何ら限定するものではなく、本考案の登録請求の範囲と考案の詳細な説明において、簡単な変化や装飾を加えた場合であっても、本考案の登録請求の範囲内に含まれるものとすることができる。
【符号の説明】
【００３７】
１  固定ユニット
１１  （固定ユニット１の）連結部
１１１  （固定ユニットの連結部１１の）溝
１２  （固定ユニット１の）ホルダー
１２１  （固定ユニットのホルダー１２の）凹部
１２２  （固定ユニットのホルダー１２の）上縁
１２３  （固定ユニットのホルダー１２の）凹溝
１２４  （固定ユニットのホルダー１２の）テーパー（第３テーパー）
１３  ロック部品
１３１  （ロック部品１３の）ねじ込み部（第６ねじ込み部）
１４  （固定ユニット１の）ねじ込み部（第５ねじ込み部）
１５  （固定ユニット１の）穴
１６  ボルト
２  エンゲージ部品
２１  （エンゲージ部品２と連結部１１との間の）スプリング（第１スプリング）
２２  （エンゲージ部品２の）噛合せ（第１噛合せ）
２２１  （エンゲージ部品２の）テーパー（第１テーパー）
２３  （エンゲージ部品２の）スライドブロック
３  給水ユニット
３１  水補給ヘッド
３１１  （水補給ヘッド３１の）凸ブロック
３１２  （水補給ヘッド３１の）ねじ込み部（第１ねじ込み部）
３１３  （水補給ヘッド３１の）ねじ込み部（第２ねじ込み部）
３１４  （水補給ヘッド３１の）上縁部
３２  容器
３２１  （容器３２の）ねじ込み部（第３ねじ込み部）
３３  （水補給ヘッド３１の）噛合せ（第２噛合せ）
３３１  （水補給ヘッド３１の）エンゲージ溝
３３２  （水補給ヘッド３１の）テーパー（第２テーパー）
３４  管
３４１  （管３４の）出水口
３４２  （管３４の）ねじ込み部（第４ねじ込み部）
３５  止水部品
３５１  （管３４内の）スプリング（第２スプリング）
３５２  （管３４内の）ダンパー
３５３  ギャップ
Ａ  ケージ
Ｂ  （止水部品３５と出水口３４１との間の）ギャップ
Ｃ  壁面
【図１】
0003208226.tif 000003
【図２】
0003208226.tif 000004
【図３】
0003208226.tif 000005
【図４】
0003208226.tif 000006
【図５】
0003208226.tif 000007
【図６】
0003208226.tif 000008
【図７】
0003208226.tif 000009
【図８】
0003208226.tif 000010
【図９】
0003208226.tif 000011
【図１０】
0003208226.tif 000012
【図１１】
0003208226.tif 000013
【図１２】
0003208226.tif 000014
【図１３】
0003208226.tif 000015